(57)【要約】【課題】照明灯用灯具に用いた発光ダイオードから発生する熱を効率的に取り除くことができる照明灯用灯具を提供する。【解決手段】反射板６を、発光体３から生じる熱を放熱する放熱板を兼ねるようにしているため、発光体３から発生する熱を除くための放熱手段を別途設けることなく、効率的に熱を取り除くことができる。また、略Ｗ字状の反射板６の中央山型状の２個の傾斜面６１に、発光ダイオード３を配置した基板５が取付けられ、その前面に発光ダイオード３を覆うように光出射板２を設けるようになしているので、発光ダイオード３から出射される光を前方に効率よく反射させることができる。【選択図】        図２
2008077948.tif 000002
【特許請求の範囲】
【請求項１】
基板上に複数の発光体が配置され、その背面側に発光体から出射される光を前方に反射させる反射板が設けられ、前記発光体の前面側に光出射板が備えられた照明灯灯具であって、前記反射板は発光体から生じる熱を放熱する放熱板を兼ねるようになされたことを特徴とする照明灯用灯具。
【請求項２】
略Ｗ字状の反射板の中央山型状の２個の傾斜面に、発光ダイオードを配置した基板が取付けられ、その前面に発光ダイオードを覆うように光出射板を設けたことを特徴とする請求項１に記載の照明灯灯具。
【発明の詳細な説明】
【技術分野】
【０００１】
本発明は、主として、歩道や公園等に設置される照明灯の灯具に関するものである。
【背景技術】
【０００２】
従来、歩道や公園等に設置される照明灯の灯具には、その発光源としてナトリウムランプが用いられてきたが、ランプ寿命の問題から、より寿命の長い発光ダイオードを用いたものが出現してきており、例えば、特許文献１には、発光ダイオードをカップ状反射板に内包させたものが開示されている。
【０００３】
【特許文献１】特開平１０−２７５９４１号公報
【発明の開示】
【発明が解決しようとする課題】
【０００４】
しかしながら、上記従来技術の発光ダイオードを用いた照明灯用灯具では、発光ダイオードから出射される光を反射させることに関しては考慮されているものの、発光ダイオードに通電することにより発生する熱の処理に関しては全く述べられていない。
【０００５】
本発明は上記問題に鑑みて案出されたものであり、照明灯用灯具に用いた発光ダイオードから発生する熱を効率的に取り除くことができる照明灯用灯具を提供することを課題とする。
【課題を解決するための手段】
【０００６】
本発明は、上記課題を解決すべくなされたものであり、本発明に係る照明灯用灯具は、基板上に複数の発光体が配置され、その背面側に発光体から出射される光を前方に反射させる反射板が設けられ、前記発光体の前面側に光出射板が備えられた照明灯灯具であって、前記反射板は発光体から生じる熱を放熱する放熱板を兼ねるようになされたことを特徴とする。
【発明の効果】
【０００７】
本発明によれば、反射板を、発光体から生じる熱を放熱する放熱板を兼ねるようにしているため、発光体から発生する熱を除くための放熱手段を別途設けることなく、効率的に熱を取り除くことができる。
【０００８】
また本発明において、略Ｗ字状の反射板の中央山型状の２個の傾斜面に、発光ダイオードを配置した基板が取付けられ、その前面に発光ダイオードを覆うように光出射板を設けるようになしてもよい。かようにすれば、発光ダイオードから出射される光を前方に効率よく反射させることができる。
【発明を実施するための最良の形態】
【０００９】
本発明に係る実施の形態について、図面に基づき以下に具体的に説明する。
図１は本発明に係る照明灯用灯具の実施の一形態（点線で囲んだ部分）を示す斜視図であり、図２は図１に示す照明灯用灯具のＡ−Ａ断面図であり、図３は図１に示す照明灯用灯具の光出射板を外した状態の説明図である。
【００１０】
歩道や公園等に設置される照明灯は、立設された支柱１に照明灯用灯具Ｐが光を出射する光出射板２を下方に向けて取付けられ形成されている。また、支柱１上部には太陽光を効率よく受光できる向きに太陽光発電パネルＳが取付けられている。太陽光発電パネルＳにより生起された電力が支柱１内に取付けられた集電手段（図示せず）に集電され、配線（図示せず）を通じて、照明灯用灯具Ｐの内部に取付けられた発光体である発光ダイオード３に制御回路（図示せず）を介して供給されて、夜間発光するようになされている。
【００１１】
照明灯用灯具Ｐは、透光性を有する合成樹脂材料で形成された光出射板２が、その底面が周縁を残して矩形に切り欠かれた断面略コ字状に折曲された蓋板４の切欠部４１を覆うように内接して取付けられ、その内側には、中央の山型（逆Ｖ字型）状の２個の傾斜面６１に複数の発光ダイオード３が配置された基板５を２個並列に取付けた略Ｗ字型の反射板６が取付けられ、前記光出射板２で覆われるように取付けられている。そして前記蓋板４が、一面が開口された縦長の箱体７の開口を塞ぐように取付けられて、照明灯用灯具Ｐが形成されている。
【００１２】
更に、反射板６と蓋板４と箱体７との取付け構造を詳しく説明すると、反射板６の中央山型状の傾斜面に対応した中央が山型状に折曲された取付板８の両端が蓋板４の側壁４２内側面にスポット溶接されて、基板５と反射板６とに穿設された通孔と、それ対応する取付板８に穿設された固定孔を合せてネジやリベット等の固定手段Ｋを挿通して固定される。また、蓋板４を箱体７に内挿して、蓋板４の側壁４２と箱体７の側壁７１とを固定手段Ｋで固定して、蓋板４と箱板７とが取付けられている。
【００１３】
反射板６は、発光ダイオード３から側方に拡散出射される光を光出射板２の方向（照明灯用灯具の前面側）に反射させるために前記の如くＷ字型に形成されると共に、発光ダイオード３から生じる熱を放熱する放熱板を兼ねるようになされており、具体的には、表面が反射性を有し、且つ熱伝導性の優れた材料からなるものであって、例えばアルミニウム合金等の板材を折曲して作製されている。
【００１４】
光出射板２に用いられる透光性を有する合成樹脂材料としては、屋外環境に設置されることから耐候性の高い材料が好適に用いられ、例えばアクリル樹脂やポリカーボネート樹脂等が用いられてよい。また、光出射板２の内側面の形状は、発光ダイオード３から出射された光及び反射板６から反射された光を光出射板２前面側に導きやすい形状に形成されていればよく、本実施形態に示す光出射板２の形状は、円弧状に凹型が隣接する形状となされているが、それとは逆の円弧状に凸型が隣接する形状に形成されたものでってもよく、勿論、平坦な形状であっても構わない。
【００１５】
発光ダイオード３が配置された基板５は、反射板６と接触する面積が大きいほど、発光ダイオード３から発生する熱を効率よく放熱することができるため、基板５の両端部のみ反射板６と固定するのではなく、図３に示すように、発光ダイオード３間を固定手段Ｋで固定するのが好ましい。
【００１６】
また、反射板６の中央山型（逆Ｖ字型）状の２個の傾斜面６１に並列に配置された複数の発光ダイオード３から出射される光は、広がりをもって出射される訳であるが、その広がった光は外側の傾斜面６２で反射されるので、発光ダイオード３から出射された光が光出射板２から出射される出射効率が向上する。それに加えて、光出射板２の両端部を傾斜させて傾斜部２１を形成することにより、広がりをもって発光ダイオード３から出射される光は、光出射板２への入射角が浅くならず、光出射板２の内側面での光の反射を防ぐことができ、発光ダイオード３から出射された光が光出射板２から出射される出射効率が更に向上する。
【産業上の利用可能性】
【００１７】
本発明に係る照明灯用灯具は、反射板を、発光体から生じる熱を放熱する放熱板を兼ねるようにしているため、発光体から発生する熱を除くための放熱手段を別途設けることなく、効率的に熱を取り除くことができる照明灯用灯具として、好適に利用することができる。
【図面の簡単な説明】
【００１８】
【図１】本発明に係る照明灯用灯具の実施の一形態を示す斜視図である。
【図２】図１に示す照明灯用灯具のＡ−Ａ断面図である。
【図３】図１に示す照明灯用灯具の光出射板を外した状態の説明図である。
【符号の説明】
【００１９】
Ｐ      照明灯用灯具
１      支柱
２      光出射板
２１    傾斜部
３      発光ダイオード
４      蓋板
４１    切欠部
４２    側壁
５      基板
６      反射板
６１    傾斜面
６２    外側の傾斜面
７      箱体
７１    側壁
８      取付板
Ｓ      太陽光発電パネル
Ｋ      固定手段
【図１】
2008077948.tif 000003
【図２】
2008077948.tif 000004
【図３】
2008077948.tif 000005